(57)【要約】【課題】１つのディスク上に記録された複数の異なるデータを同時に再生可能としたディスク再生装置及びディスク記録再生装置を得る。【解決手段】複数の少くとも第１及び第２エリア用信号処理部１００，２００を設けてこれら処理部１００，２００から出力された複数の異なるデータを加算器で加算した信号を再生すると共に外部切換スイッチと複数のヘッドホンジャックを用意して機能の異なる音声を夫々異なるヘッドホンで同時に再生する様にする。【選択図】　　　　図１
2004071108.tif 000002
【特許請求の範囲】
【請求項１】
再生ディスクからの再生データを耐震用メモリを基に伸張して再生する様に成されたディスク再生装置に於いて、
複数の上記耐震用メモリ及び該複数耐震用メモリを制御する複数のメモリ制御手段並びに上記再生データを伸張する複数の伸張手段、該複数の伸張手段のデータをデジタル−アナログ変換する複数のデジタル／アナログ変換手段と、
上記複数のデジタル／アナログ変換手段の出力を混合した出力が供給されると共に複数の少くとも１対の出力が供給されるスイッチング手段を介して異なる複数の出力信号を再生する様に成したことを特徴とするディスク再生装置。
【請求項２】
前記複数のデジタル／アナログ変換手段の一方に供給されるデータが英単語の様な単調な繰り返し信号であり、他のデジタル／アナログ変換手段に供給されるデータが音響等のバックグランドミュージックであることを特徴とする請求項１記載のディスク再生装置。
【請求項３】
前記複数のデジタル／アナログ変換手段の一方に供給されるデータと他方のデータとを少くとも２つのヘッドホンに接続させ、複数の人が１つのセットで異なる音響信号を再生可能と成したことを特徴とする請求項１記載のディスク再生装置。
【請求項４】
記録再生ディスクへの記録データ及び該ディスクからの再生データを耐震用メモリを基に記録再生する様に成したディスク記録再生装置に於いて、
複数の上記の耐震用メモリ及び該複数の耐震用メモリを制御する複数のメモリ制御手段並びに上記記録再生データを圧縮、伸張する複数の圧縮伸張手段と、該複数の圧縮伸張手段へ入力されるアナログ信号をアナログ／デジタル変換する複数のアナログ／デジタル変換手段と、該複数の圧縮伸張手段のデータをデジタル／アナログ変換する複数のデジタル／アナログ変換手段を具備し、
上記複数の耐震用メモリの一方に記録データをセーブした時に他方の上記耐震用メモリに切換えるスイッチング手段を設けたことを特徴とするディスク記録再生装置。
【発明の詳細な説明】
【０００１】
【発明の属する技術分野】
本発明は１つのセットから異なる音響信号を導出可能なディスク再生装置及びディスク記録再生装置に関する。
【０００２】
【従来の技術】
従来からミニディスク（以下ＭＤと記す）等の光磁気ディスクを用いたディスク再生装置或はディスク記録再生装置は２ｃｈの音響信号を再生出来る機能を装備しているが、フォーマットを変えずに４ｃｈ再生を可能にする構成のディスク記録再生装置が特開平６−１９５８８２号公報に開示されている。
【０００３】
上述の公報にはＭＤの特徴の１つである音飛びに対処する耐震手段を用いた技術が披瀝されている。この耐震技術は光ピックアップがディスクからデータを読み出す速度と圧縮／伸縮手段のデータ入力の伝送速度の違いを利用したものであり、複数の耐震手段を設けて、記録１−記録２、記録１−再生２、再生１−記録２、再生１−再生２の４通りの組み合せ設定が可能なディスク記録再生装置が示されている。
【０００４】
図５は上述の公報に開示されたブロック図である。同図に於いて、１はＭＤ用の光磁気ディスク、２はこのディスクを線速度一定で回転させるスピンドルモータ、３はディスク１から光学的に情報を読み取る機能および後述する磁気記録ヘッド１４と協働してディスク１に光磁気的に情報を書き込む機能を有する光ピックアップ、４はこのピックアップ３をディスク１の半径方向に移動させる送りモータ、５はピックアップ３の出力を増幅する高周波（ＲＦ）アンプ、６はスピンドルモータ２の回転制御、送りモータ４の送り制御及びピックアップ３のフォーカス／トラッキング制御を行うサーボ制御部である。
【０００５】
このＭＤプレーヤの再生系は、アンプ５の出力をデコード（復調）するエンコーダ／デコーダ７のデコーダ部と、アンプ５の出力から再生中のアドレスを検出するアドレスデコーダ８と、エンコーダ／デコーダ７のデコード出力を一時蓄えるメモリ９−１，９−２及びそのコントローラ１０−１，１０−２と、メモリ９−１，９−２の出力を伸張する音声圧縮／伸張部１１−１，１１−２の伸張部と、この音声圧縮／伸張部１１−１，１１−２の伸張出力をアナログ信号に変換するＤ／Ａ変換部１２−１，１２−２とで構成される。エンコーダ／デコーダ７は、変調方式としてＥＦＭ（ｅｉｇｈｔ　ｔｏ　ｆｏｕｒｔｅｅｎ　ｍｏｄｕｌａｔｉｏｎ）を、また誤り訂正方式としてＣＩＲＣ（ｃｒｏｓｓ　ｉｎｔｅｒｌｅａｖｅ　ｒｅｅｄ−ｓｏｌｏｍｏｎ　ｃｏｄｅ）を採用している。
【０００６】
このＭＤプレーヤの記録系は、アナログ信号をデジタル信号に変換する複数のＡ／Ｄ変換部１３−１，１３−２と、変換されたデジタル信号からオーディオ信号の再生に不要な成分を除去するように圧縮する音声圧縮／伸張部１１−１，１１−２の圧縮部と、圧縮された信号を一時蓄積するメモリ９−１，９−２及びそのコントローラ１０−１，１０−２と、メモリ９−１，９−２の出力をエンコード（変調）する前記エンコーダ／デコーダ７のエンコーダ部と、このエンコーダ部でエンコードされた信号をディスク１に書き込む磁気記録ヘッド１４及びそのヘッド駆動回路１５とで構成される。１６は全体を制御するシステムコントローラ、１７は各種の情報を表示する表示部、１８は各種の指示与える複数の操作キーである。
【０００７】
このＭＤプレーヤはＣＤプレーヤをベースとして、これに音声圧縮技術、耐震技術、ユーザ録音機能等を追加している。音声圧縮／伸張部１１−１，１１−２で行われる音声圧縮は、人間の聴感特性を利用して不要なデータを間引く、例えばＡＴＲＡＣ（Ａｄａｐｔｉｖｅ　Ｔｒａｎｓｆｏｒｍ　Ａｃｏｕｓｔｉｃ　Ｃｏｄｉｏｎ）と呼ばれる圧縮技術では、人間の最小可聴限特性とマスキング効果を利用して、約５倍の情報圧縮を実現する。この圧縮されたデータを復元する伸張部は、エンコーダ／デコーダ７のデコード出力を合成して、デジタル波形を順次再生する。この方式により、１６ビット段階のレベル変化およびサンプリング周波数４４．１ｋＨｚで表現される信号と等価な品質を再現する。このデータ圧縮／伸張をおこなうため、信号処理回路上に相応の容量を有するバッファのメモリ９−１，９−２が必要となる。
【０００８】
ＭＤプレーヤの一つの特徴に、「音飛び」に対処する耐震技術がある。これは、ピックアップ３の読み出し速度と音声圧縮／伸張部１１−１，１１−２へのデータ入力の転送速度の違いを利用し、前述のメモリ９−１，９−２をデータバッファとして使用することで実現する。即ち、ピックアップ３の読み出し速度は１．５Ｍｂ（メガビット）／ｓと高速であるのに対し、音声圧縮／伸張部１１−１，１１−２へのデータ入力の転送速度は０．３Ｍｂ／ｓと低速である。従って、１Ｍビットのメモリ９を使用すると、約３秒分のデータを蓄えておくことができる。このため、振動でディスク１からの読み出しが停止しても、３秒以内に復帰すれば、再生されるオーディオ出力は「音飛び」しないで済む様に成されている点が記載されている。
【０００９】
【発明が解決しようとする課題】
上述の従来構成のディスク記録再生装置では複数の第１エリア用メモリ９−１とメモリコントローラ１０−１を有する第１エリア用信号処理部１００と、第２エリア用メモリ９−２とメモリコントローラ１０−２を有する第２のエリア用信号処理部２００を用いて、夫々の待期時間を利用して、交互に繰り返す制御をすることで記録１／再生１及び記録２／再生２を選択し、記録１−記録２、記録１−再生２、再生１−記録２、再生１−再生２の４通りの組み合せのいずれかの設定をシステムコントロール１６で行うことが可能であり、例えば再生１−再生２ではステレオ用の２ｃｈ信号を用いて４ｃｈ信号を再生するディスク記録再生装置が示されている。
【００１０】
然し、上述のディスク再生装置は２ｃｈ信号用の標準フォーマットを採用して、１組の録再ヘッドだけで４ｃｈの信号の記録再生を行なっているために、再生装置側で変化に富んだ種々の複数の音響信号を再生することが出来ない課題があった。
【００１１】
本発明は叙上の課題を解消するために成されたもので、発明が解決しようとする課題は第１及び第２信号処理部から取り出される２種類の音響信号を混合させる機能や２種類の異なる音響信号を別々に再生させて聴取可能としたディスク再生装置及びディスク記録再生装置を提供しようとするものである。
【００１２】
【課題を解決するための手段】
本発明のディスク再生装置は再生ディスクからの再生データを耐震用メモリを基に伸張して再生する様に成されたディスク再生装置に於いて、複数の耐震用メモリ及びこれら耐震用メモリを制御する複数のメモリ制御手段並びに再生データを伸張する複数の伸張手段、この複数の伸張手段のデータをデジタル−アナログ変換する複数のデジタル／アナログ変換手段と、この複数のデジタル／アナログ変換手段の出力を混合した出力が供給されると共に複数の少くとも１対の出力が供給されるスイッチング手段を介して異なる複数の出力信号を再生する様に成したものである。
【００１３】
本発明のディスク記録再生装置は記録再生ディスクへの記録データ及びディスクからの再生データを耐震用メモリを基に記録再生する様に成したディスク記録再生装置に於いて、複数のの耐震用メモリ及び複数の耐震用メモリを制御する複数のメモリ制御手段並びに記録再生データを圧縮、伸張する複数の圧縮伸張手段と、この複数の圧縮伸張手段へ入力されるアナログ信号をアナログ／デジタル変換する複数のアナログ／デジタル変換手段と、複数の圧縮伸張手段のデータをデジタル／アナログ変換する複数のデジタル／アナログ変換手段を具備し、複数の耐震用メモリの一方に記録データをセーブした時に他方の耐震用メモリに切換えるスイッチング手段を設けて成るものである。
【００１４】
本発明のディスク再生装置によれば複数の異なる音響信号を加算することでミキシングされた音響信号再生が可能となる。
また、本発明のディスク再生装置によれば、異なる音響信号を別々に聴取可能となる。
【００１５】
更に、本発明のディスク記録再生装置によれば、第１エリアメモリの容量を越えたデータをスイッチング手段を切換えることで第２エリアメモリに直ちに格納可能となって記録データの欠落の防止が可能となる。
【００１６】
【発明の実施の形態】
以下、本発明のディスク記録再生装置及びディスク記録再生装置の１形態例を図１乃至図４によって説明する。
【００１７】
図１は本発明のディスク記録再生装置の全体的なブロック図を示すもので、従来の図５との対応部分には同一符号を付して重複説明を省略する。この例では図５の構成を基本とし、ハード的に次の構成を加えている。即ちＥＦＭエンコーダ・デコーダ７側とメモリコントローラ１０−１間に第１のスイッチＳＷ１　を配し第１のスイッチＳＷ１　の可動接片をＥＦＭエンコーダ・デコーダ７側に接続し、第１のスイッチＳＷ１　の固定接点Ａをメモリコントローラ１０−１の入力に接続し、同じく第１のスイッチＳＷ１　の固定接点Ｂをメモリコントローラ１０−２の入力に接続している。
【００１８】
また、音声圧縮伸張部１１−１とメモリコントローラ１０−１との間に第２のスイッチＳＷ２　を介在させる。第２のスイッチＳＷ２　の可動接片は音声圧縮伸張部１１−１の出力に接続され、固定接点Ａ，Ｂは夫々メモリコントローラ１０−１及びメモリコントローラ１０−２の入力（記録側）に接続されている。
【００１９】
図２は本発明の再生出力回路を説明するブロック図であり、音声圧縮伸張部１１−１及び１１−２で伸張された再生データをＤ／Ａ変換部１２−１及び１２−２でアナログ変換された異なる出力信号は加算器１９及び第３のスイッチＳＷ３の固定接点Ａ及びＡ′側に接続され、加算器１９の出力は固定接点Ｂ及びＢ′に接続され、第３のスイッチＳＷ３の２つの可動接片は第１のヘッドホンが挿脱可能な第１のヘッドホンジャック端子Ｔ１　及び第２のヘッドホンが挿脱可能な第２のヘッドホンジャック端子Ｔ２　に接続される。
【００２０】
上述の如きハード構成以外は図５と同様であるが、本例では第１エリア用及び第２エリア用メモリ９−１及び９−２は１６ＭビットのＤＲＡＭ（図５では４Ｍビット）が用いられる。これら耐震用のメモリは従来例でも説明した様にピックアップ３はディスク１のデータを１．４Ｍｂｉｔ／ｓで読み取り、ＡＴＲＡＣ等の音声圧縮伸張部１１−１及び１１−２の圧縮を解き、デコードするには図３に示す様に０．３Ｍｂｉｔ／ｓしか必要としないので間欠的に読取る事になる。第１及び第２エリア用メモリ９−１及び９−２に１６ＭｂｉｔのＤＲＡＭを用いた場合、読取り時間は、約１９秒で、再生時間は５３秒となる。通常は読取り時間以外は、ディスク１を停止させるので、停止状態からスピンドルモータ２を回転させ、読取り可能となる最大時間を約１０秒とすると、読取り開始は、第１及び第２エリア用メモリ９−１及び９−２内の残りデータが２０％となった時（残り再生時間１２秒）となるので読取り時間の合計を最大２３秒とすると、待期（停止）時間は３０秒となり、半分以上停止していることになる。ここでＤＲＡＭ９−１，９−２の容量は任意に増大させることが出来るのでアイドル状態を更に増加可能となる。
【００２１】
上述のディスク記録再生装置で今、ディスク１に記録された異なる２種類のデータを同時に再生する場合のディスク再生装置としての動作を図４のフローチャートと共に説明する。
【００２２】
図４に於いて、図１のシステムコントローラ１６によって、例えば、英単語或は英会話の様な単調な繰り返しレッスン用のデータＷが記録されているディスク１の先頭に光ピックアップ３をアクセスする（第１ステップＳ１　）。
【００２３】
次に第２ステップＳ２　では第１のスイッチＳＷ１　の可動接片を固定接点Ａ側にセットする様にシステムコントローラ１６は第１のスイッチＳＷ１　を制御する。
【００２４】
次の第３ステップＳ３　では耐震用のメモリコントローラ１０−１をシステムコントローラ１６が制御し、このメモリコントローラ１０−１を介して第１エリア用メモリ（ＤＲＡＭ）９−１にデータＷをセーブする。
【００２５】
次の第４ステップＳ４　では音声圧縮伸張部（ＡＴＲＡＣデコーダ）１１−１をスタートさせる。
【００２６】
次の第５ステップＳ５　では例えば、バックグランドミュージック（ＢＧＭ）となるサウンドデータＳが記録されたディスクの先頭に光ピックアップ３アクセスする。
【００２７】
次の第６ステップＳ６　では第１のスイッチＳＷ１　の可動接片を固定接点Ｂ側にセットする様にシステムコントローラ１６は第１のスイッチＳＷ１　を制御する。
【００２８】
第７ステップＳ７　では耐震用のメモリコントローラ１０−２をシステムコントローラ１６が制御し、このメモリコントローラ１０−２を介して第２エリア用メモリ（ＤＲＡＭ）９−２にデータＳをセーブする。
【００２９】
第８ステップＳ８　では音声圧縮伸張部（ＡＴＲＡＣデコーダ）１１−２をスタートさせる。
【００３０】
第９ステップＳ９　では第１エリア用メモリ（ＤＲＡＭ）９−１の残量を確認する。
【００３１】
次の第１０ステップＳ１０ではデータ残量が２０％を割ったか否かをシステムコントローラ１６が判断し、ＹＥＳの場合は第１１ステップＳ１１へ進め、ＮＯの場合は第１４ステップＳ１４へ進める。
【００３２】
第１０ステップＳ１０で第１エリア用メモリ９−１の残データが２０％（残り再生時間１２秒）となった時には第１１ステップＳ１１でデータＷに光ピックアップ３をアクセスする。
【００３３】
第１２ステップＳ１２では第１のスイッチＳＷ１　の可動接片をＡ側に倒し、次の第１３ステップＳ１３で第１エリア用メモリ（ＤＲＡＭ）９−１に次のデータＷをセーブする。
【００３４】
第１３ステップＳ１３終了後は第９ステップＳ９　の頭に戻される。
【００３５】
第１０ステップＳ１０でＤＲＡＭ９−１の残量が２０％以上であるＮＯの場合は第２エリア用メモリ（ＤＲＡＭ）９−２のデータＳの残量確認が行なわれて、第１５ステップＳ１５で補充を行なうべきか否かの判断が成されてＮＯであれば第９ステップＳ９　の頭に戻され、ＹＥＳの場合は第１６ステップＳ１６に進められる。
【００３６】
第１６ステップＳ１６では光ピックアップ３をデータＳにアクセスする。
【００３７】
第１７ステップＳ１７では第１のスイッチＳＷ１　の可動接片を固定接点Ｂ側に倒し、次の第１８ステップＳ１８で第２エリア用メモリ（ＤＲＡＭ）９−２に次のデータＳうセーブし、第９ステップＳ９　の頭に戻すことでＤＲＡＭ９−１及びＤＲＡＭ９−２の残量をモニタし、５３秒のデータ内で残量が２０％を割った時にデータ補充を繰り返して行なう様な制御が行なわれる。
【００３８】
上述の図４に示したフローチャートに基づいて音声圧縮伸張部（ＡＴＲＡＣデコーダ）１１−１及び１１−２を介して伸張されてＤ／Ａ変換部１２−１及び１２−２でアナログ信号に変換されたＷ及びＳデータを含むオーディオ出力１及びオーディオ出力２は図２に示す加算器１９で混合されて、第３のスイッチＳＷ３　の固定接点Ｂ及びＢ′を経てヘッドホンジャックＡ及びＢに接続されたスピーカ或はヘッドホン等の放音手段を介して、英会話又は英単語の様な単調な繰り返しレッスン時に自分の好みの曲をＢＧＭとして流すことが出来る。
【００３９】
また、システムコントローラ１６で制御され或は手動で切換えられる第３のスイッチＳＷ３　は双極双投の４回路から好みの２回路を選択出来るので、第３のスイッチＳＷ３　の固定接点をＡ側に切換えた場合には第１のヘッドホンジャックＴ１　及び第２のヘッドホンジャックＴ２　に別々のヘッドホンＡ及びＢを挿入すれば別々の人がＷデータの単語とＢＧＭを個別に聴取することも簡単に行なえるものが得られる。
【００４０】
次に、図１に示した第２のスイッチＳＷ２　の説明を行なう。この第２のスイッチＳＷ２　はＡ／Ｄ変換部１３−１からオーディオ信号を光ディスク１に記録する場合に用いられる。即ち、始めに第２のスイッチＳＷ２　の可動接片を固定接点Ａ側にセットし、メモリコントローラ１０−１を介して第１エリア用メモリ９−１にデータを格納する。この時、外部振動が発生した光ディスク１のサーボがはずれ一定時間光ディスク１への記録が出来なくなった場合を想定すると、第１エリア用メモリ９−１に格納される記録データがオーバーフローする事になる。この場合、第１エリア用メモリ９−１の容量を超えたデータは、記録不可となる。この時、第２のスイッチＳＷ２　の可動接片を固定接点Ｂ側にセットし、第２エリア用メモリ９−２にデータ格納する様にすれば記録データ欠落の防止を補助する事が可能となる。勿論、これらの制御はシステムコントローラ１６によって自動的に制御される。
【００４１】
【発明の効果】
本発明のディスク再生装置及びディスク記録再生装置によれば２つのＡＴＲＡＣデコーダから取り出された２種類のオーディオ信号を、ミキシングして出力する機能、又は、２つの出力端子を設け別々に出力する機能を備えているので英会話または英単語の様な単調な繰り返しレッスンに、自分の好みの曲をその時々に応じて選択してＢＧＭとして流すことにより、記憶すべき事柄をより印象強くする効果をもたらす。
また２組のヘッドホンジャックを使用することにより、１つのプレーヤで異なる曲を同時に聴く事が出来る。又、データ記録時に第１エリア用メモリの容量を超えた時は第２のスイッチを切換制御することで記録データの欠落を簡単に防止可能となる。
【図面の簡単な説明】
【図１】本発明の１形態例を示すブロック図である。
【図２】本発明の再生出力回路を示すブロック図である。
【図３】本発明の再生時の音声圧縮伸張部の動作説明図である。
【図４】本発明の１形態例を示すフローチャートである。
【図５】従来のディスク記録再生装置のブロック図である。
【符号の説明】
１‥‥ディスク、２‥‥スピンドルモータ、３‥‥光ピックアップ、４‥‥送りモータ、５‥‥高周波アンプ、６‥‥サーボ制御部、７‥‥ＥＦＭエンコーダ／デコーダ、８‥‥アドレスデコーダ、９−１，９−２‥‥メモリ、１０−１，１０−２メモリコントローラ、１１−１，１１−２‥‥音声圧縮伸張部、１２−１，１２−２‥‥Ｄ／Ａ変換器、１３−１，１３−２‥‥Ａ／Ｄ変換器、１４‥‥磁気記録ヘッド、１５‥‥ヘッド駆動回路、１６‥‥システムコントローラ、１７‥‥表示部、１８‥‥操作キー、１００‥‥第１の信号処理部、２００‥‥第２の信号処理部
【図１】
2004071108.tif 000003
【図２】
2004071108.tif 000004
【図３】
2004071108.tif 000005
【図４】
2004071108.tif 000006
【図５】
2004071108.tif 000007